(57)【要約】      （修正有）【課題】表示ユニットの電気素子の実装部分を保持する保持枠の外圧に対する強度を向上させる。【解決手段】電子機器は、メインシャーシ４と、サブシャーシ５と、メインシャーシ４の保持枠４ａ〜４ｆに当接して、表示ユニット６との間に隙間を形成した状態で電気素子６ｆの実装部分を含む表示ユニット６の表示面の周囲を覆う背面カバー２ｂと、を備える。表示ユニット６の電気素子６ｆの実装部分を保持する保持枠４ｂ，４ｂの間には、表示ユニット６に接続されたフレキシブル基板６ｇが挿通する切欠き部が形成されるとともに、サブシャーシ５に当接する突起部４ｚが形成され、背面カバー２ｂの前記電気素子６ｆの実装部分を覆う部分が押圧されて、前記押圧力を保持枠４ａ，４ｂで受け止めた際に、突起部４ｚがサブシャーシ５に当接することで、当該保持枠４ａ，４ｂを支持する。【選択図】図４
2013152274.tif 000002
【特許請求の範囲】
【請求項１】
表示パネルを有し、前記表示パネルの側部に電気素子が実装される表示ユニットと、
前記表示ユニットの周囲を保持する複数の保持枠を有する第１のシャーシと、
前記表示パネルの側部に接続されるフレキシブル基板と、
前記第１のシャーシに保持された前記表示ユニットの前記電気素子の実装部分の近傍で前記第１のシャーシに締結される第２のシャーシと、
前記保持枠に当接して、前記表示ユニットとの間に隙間を形成した状態で前記電気素子の実装部分を含む前記表示ユニットの表示面の周囲を覆う外装カバーと、を備える電子機器であって、
前記複数の保持枠のうち、前記表示ユニットの前記電気素子の実装部分を保持する保持枠には、前記フレキシブル基板が挿通する切欠き部が形成されるとともに、前記第２のシャーシに当接する突起部が形成され、
前記外装カバーの前記電気素子の実装部分を覆う部分が押圧されて、前記押圧力を前記表示ユニットの前記電気素子の実装部分を保持する保持枠で受け止めた際に、前記突起部が前記第２のシャーシに当接することで、当該保持枠を支持することを特徴とする電子機器。
【請求項２】
前記突起部は、前記表示ユニットの前記電気素子の実装部分を保持する保持枠の前記切欠き部を介して互いに対応する部位を外側に折り曲げて形成されることを特徴とする請求項１に記載の電子機器。
【請求項３】
前記第１のシャーシと前記第２のシャーシとは、ビスにより締結されることを特徴とする請求項１又は２に記載の電子機器。
【請求項４】
前記第２のシャーシは、操作ボタンのスイッチが配置された基板を保持することを特徴とする請求項１乃至３のいずれか一項に記載の電子機器。
【発明の詳細な説明】
【技術分野】
【０００１】
本発明は、表示ユニットを備えるデジタルカメラやデジタルビデオカメラ等の電子機器に関する。
【背景技術】
【０００２】
デジタルカメラやデジタルビデオカメラ等の電子機器では、表示ユニットを構成するＬＣＤ等の表示パネルを保護カバーで覆うものがある（特許文献１及び２）。しかし、近年では、電子機器の小型化やコストダウンあるいはタッチパネル搭載等の理由により、保護カバーをなくして、表示パネルのガラス基板材料の改善やガラス基板を厚くすることで、表示パネルの強度を向上させている。
【０００３】
この場合、図９に示すように、表示パネル６１の側部には、ドライバＩＣ等の電気素子６１ｆが実装されているため、メインシャーシ４１に設けられた保持枠４１ａ〜４１ｆにより表示パネル６１を保持する。これにより、電気素子６１ｆ、及び電気素子６１ｆが実装された部分のガラス基板を外圧から保護するようにしている。
【先行技術文献】
【特許文献】
【０００４】
【特許文献１】特開２００８−１９３１５８号公報
【特許文献２】特開２００６−２５１２４１号公報
【発明の概要】
【発明が解決しようとする課題】
【０００５】
しかし、図９に示す従来技術では、表示パネル６１の電気素子６１ｆの実装部分を保持する保持枠４１ａ，４１ｂの間には、表示パネル６１と不図示の制御基板とを電気的に接続するためのフレキシブル基板６１ｇが挿通する切欠き部が形成される。このため、表示パネル６１の電気素子６１ｆの実装部分を保持する保持枠４１ａ，４１ｂの外圧に対する強度が低下して、電気素子６１ｆやガラス基板が破損するおそれが生じ、電子機器の誤作動を引き起こす可能性がある。
【０００６】
そこで、本発明は、表示パネルの電気素子の実装部分を保持する保持枠の外圧に対する強度を向上させて、電気素子やガラス基板の破損による電子機器の誤作動を回避する仕組みを提供することを目的とする。
【課題を解決するための手段】
【０００７】
上記目的を達成するために、本発明の電子機器は、表示パネルを有し、前記表示パネルの側部に電気素子が実装される表示ユニットと、前記表示ユニットの周囲を保持する複数の保持枠を有する第１のシャーシと、前記表示パネルの側部に接続されるフレキシブル基板と、前記第１のシャーシに保持された前記表示ユニットの前記電気素子の実装部分の近傍で前記第１のシャーシに締結される第２のシャーシと、前記保持枠に当接して、前記表示ユニットとの間に隙間を形成した状態で前記電気素子の実装部分を含む前記表示ユニットの表示面の周囲を覆う外装カバーと、を備える電子機器であって、前記複数の保持枠のうち、前記表示ユニットの前記電気素子の実装部分を保持する保持枠には、前記フレキシブル基板が挿通する切欠き部が形成されるとともに、前記第２のシャーシに当接する突起部が形成され、前記外装カバーの前記電気素子の実装部分を覆う部分が押圧されて、前記押圧力を前記表示ユニットの前記電気素子の実装部分を保持する保持枠で受け止めた際に、前記突起部が前記第２のシャーシに当接することで、当該保持枠を支持することを特徴とする。
【発明の効果】
【０００８】
本発明によれば、表示パネルの電気素子の実装部分を保持する保持枠の外圧に対する強度を向上させて、電気素子やガラス基板の破損による電子機器の誤作動を回避することができる。
【図面の簡単な説明】
【０００９】
【図１】（ａ）は本発明の電子機器の実施形態の一例であるデジタルカメラを正面側から見た斜視図、（ｂ）は図１（ａ）に示すデジタルカメラの背面図である。
【図２】図１（ｂ）のＡ−Ａ線断面図である。
【図３】表示ユニットの分解斜視図である。
【図４】カメラ本体から背面カバーを取り外した状態を示す斜視図である。
【図５】図４の部分拡大斜視図である。
【図６】カメラ本体から背面カバー、表示ユニット、メインシャーシ、及びサブシャーシを取り外した状態を示す斜視図である。
【図７】メインシャーシの斜視図である。
【図８】サブシャーシの斜視図である。
【図９】従来のデジタルカメラの一例を示す斜視図である。
【発明を実施するための形態】
【００１０】
以下、本発明の実施形態の一例を図面を参照して説明する。
【００１１】
図１（ａ）は本発明の電子機器の実施形態の一例であるデジタルカメラを正面側から見た斜視図、図１（ｂ）は図１（ａ）に示すデジタルカメラの背面図、図２は図１（ｂ）のＡ−Ａ線断面図である。
【００１２】
図１及び図２に示すように、本実施形態のデジタルカメラは、正面カバー２ａ及び背面カバー２ｂによりカメラ本体１の外装カバーを形成している。カメラ本体１の正面側（被写体側）には、レンズ鏡筒１３及びストロボ発光窓５１等が設けられ、カメラ本体１の上面部には、レリーズボタン８等が設けられている。また、カメラ本体１の背面側には、表示ユニット６及び操作ボタン群１５等が設けられ、カメラ本体１の底部には、電池１０や記録媒体１１の収納室を開閉可能に塞ぐ蓋部材９が設けられている。
【００１３】
図３は、表示ユニット６の分解斜視図である。図３に示すように、表示ユニット６は、バックライトユニット６ｂとパネルカバー６ｃとの間にＬＣＤ等の表示パネル６ａが挟み込まれ、バックライトユニット６ｂの係合爪６ｄがパネルカバー６ｃの係合孔６ｉに係合される。
【００１４】
表示パネル６ａは、２枚の透明なガラス基板６ｅの間に不図示の液晶層を有し、ガラス基板６ｅの側部には、表示パネル６ｅを制御する電気素子の一例としてのドライバＩＣ６ｆが実装されている。また、ガラス基板６ｅのドライバＩＣ６ｆが実装された部分の側部には、フレキシブル基板６ｇが異方性導電膜（ＡＣＦ）等に介して電気的に接続されている。なお、ドライバＩＣ６ｆの実装部分は、押圧されると、応力集中によりガラス基板６ｅやドライバＩＣ６ｆが破損しやすい箇所である。
【００１５】
バックライトユニット６ｂは、不図示の発光ダイオード等の光源を実装したフレキシブル基板６ｈ、光源を表示パネル６ａの表示面に導光する導光板や反射板、及び表示パネル６ａの表示面に導光された光を拡散／集光する拡散／集光シート等で構成される。フレキシブル基板６ｈは、フレキシブル基板６ｇに半田付け等によって電気的に接続される。
【００１６】
図４はカメラ本体１から背面カバー２ｂを取り外した状態を示す斜視図、図５は図４の部分拡大斜視図、図６はカメラ本体１から背面カバー２ｂ、表示ユニット６、メインシャーシ４、及びサブシャーシ５を取り外した状態を示す斜視図である。図７はメインシャーシ４の斜視図、図８はサブシャーシ５の斜視図である。
【００１７】
図４に示すように、メインシャーシ４には、表示ユニット６が不図示の両面テープ等を介して取り付けられる。メインシャーシ４には、図７に示すように、表示ユニット６の周囲の四辺に対応する複数の保持枠４ａ〜４ｆが設けられている。保持枠４ａ〜４ｆは、メインシャーシ４の四辺から略直角に折り曲げて形成されており、表示ユニット６をメインシャーシ４に対して位置決めした状態で保持する。ここで、メインシャーシ４は、本発明の第１のシャーシの一例に相当し、サブシャーシ５は、本発明の第２のシャーシの一例に相当する。
【００１８】
そして、保持枠４ａ〜４ｆの先端には、背面カバー２ｂが当接して、背面カバー２ｂと表示ユニット６との間に隙間が形成される。背面カバー２ｂは、表示ユニット６の表示面の周囲（ドライバＩＣ６ｆの実装部分を含む）を覆うように組み付けられる。
【００１９】
保持枠４ａ〜４ｆのうちの保持枠４ａ，４ｂは、表示ユニット６のドライバＩＣ６ｆが実装された部分を保持する。保持枠４ａ，４ｂの間には、切欠き部４ｇが形成されており、切欠き部４ｇからフレキシブル基板６ｇが引き出される。したがって、メインシャーシ４のフレキシブル基板６ｇが引き出される側は、他の部位に比べて剛性が低くなっている。切欠き部４ｇから引き出されたフレキシブル基板６ｂは、カメラ本体１の制御基板２１に電気的に接続される。
【００２０】
メインシャーシ４の保持枠４ａ，４ｂの近傍には、締結部４ｙが形成されている。一方、サブシャーシ５には、図５及び図８に示すように、メインシャーシ４の保持枠４ａ，４ｂに対応する位置に保持枠５ａが形成され、保持枠５ａの近傍には、２つ締結部５ｙがメインシャーシ４の締結部４ｙに対応して形成されている。
【００２１】
そして、メインシャーシ４の締結部４ｙとサブシャーシ５の締結部５ｙとをビス４０等で締結することで、メインシャーシ４とサブシャーシ５とを電気的に接続してシールド部材として機能させ、これにより、輻射ノイズ等の低減を図っている。
【００２２】
サブシャーシ５には、図５及び図６に示すように、操作フレキシブル基板３が不図示の両面テープ等を介して取り付けられる。操作フレキシブル基板３には、操作ボタン群１５に対応するメタルドームスイッチが配置されたコンタクトシート３１が貼付けられており、これにより、操作ボタン群１５のＯＮ／ＯＦＦ動作を検知している。
【００２３】
また、メインシャーシ４の保持枠４ａ，４ｂの切欠き部４ｇを介して互いに対向する部位には、それぞれ外側に略直角に折り曲げられた突起部４ｚが形成されている。突起部４ｚの先端部は、締結部４ｙ，５ｙがビス４０等により締結された状態で、締結部４ｙ，５ｙの近傍でサブシャーシ５の保持枠５ａに当接する。
【００２４】
ところで、表示パネル６ａのドライバＩＣ６ｆが実装された部分は、背面カバー２ｂにより隙間を介して覆われるが、この部分が押圧されたとき、その押圧力は、メインシャーシ４の保持枠４ａ〜４ｆ及びサブシャーシ５の保持枠５ａで受けることになる。
【００２５】
このとき、メインシャーシ４の保持枠４ａ〜４ｆのうち、比較的剛性が低い保持枠４ａ，４ｂは、曲げ部４ｘを起点に外側に変形しようとするが、突起部４ｚが比較的剛性の高いサブシャーシ５の保持枠５ａに当接することで、保持枠４ａ，４ｂが支持される。これにより、表示パネル６ａのドライバＩＣ６ｆの実装部分での外圧による背面カバー２ｂの変形が防止され、ドライバＩＣ６ｆやガラス基板６ｅの破損によるデジタルカメラの誤作動を回避することができる。
【００２６】
また、締結部４ｙ，５ｙがビス４０等により締結される際の締め付け力によっても、メインシャーシ４の曲げ部４ｘが変形しようとするが、上記同様に、突起部４ｚがサブシャーシ５の保持枠５ａに当接することで、曲げ部４ｘの変形が防止される。これにより、メインシャーシ４の曲げ部４ｘの変形により、ビス４０が制御基板２１に接触するのを防止することができ、組み立て作業性が改善される。
【００２７】
さらに、保持枠４ａ，４ｂの間の切欠き部４ｇを挿通するフレキシブル基板６ｇは、メインシャーシ４の突起部４ｚの曲げ部分に接触する。このため、カメラに落下による衝撃や振動が加わった際に、フレキシブル基板６ｇが破損するのを防止することができる。
【００２８】
以上説明したように、本実施形態では、表示パネル６ａのドライバＩＣ６ｆの実装部分を保持する保持枠４ａ，４ｂの外圧に対する強度を向上させているので、ドライバＩＣ６ｆやガラス基板６ｅの破損によるデジタルカメラの誤作動を回避することができる。
【００２９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３０】
２ｂ  背面カバー
４  メインシャーシ
４ａ，４ｂ  保持枠
４ｇ  切欠き部
４ｚ  突起部
５  サブシャーシ
６  表示ユニット
６ａ  表示パネル
６ｇ  フレキシブル基板
６ｆ  ドライバＩＣ
【図１】
2013152274.tif 000003
【図２】
2013152274.tif 000004
【図３】
2013152274.tif 000005
【図４】
2013152274.tif 000006
【図５】
2013152274.tif 000007
【図６】
2013152274.tif 000008
【図７】
2013152274.tif 000009
【図８】
2013152274.tif 000010
【図９】
2013152274.tif 000011